(57)【要約】【課題】  高低周波数が相互に干渉し合わず、外界の影響を受けないシグナル伝送ケーブルの構造を提供する。【解決手段】  主に一層以上の外被覆層３０と、それぞれ絶縁層が設けられた二つの伝送媒質を有する心材部２０と、該心材部２０と該外被覆層３０の間に設けられて一層以上の金属線織層４２と包紙層４３により被覆されたＰＶＣ導電層４１より構成される中間材料層４０とで、多芯導体の構造を構成する。【選択図】  図  ２ 
0003109270.tif 000002
【実用新案登録請求の範囲】
【請求項１】
主に心材部、中間材料層、外被覆層より構成されるシグナル伝送ケーブルの構造において、
それぞれ絶縁層が設けられた二つの伝送媒質を有する心材部と、
一層以上の外被覆層と、
該心材部と該外被覆層の間に設けられ、一層以上の金属線編織層と包紙層により被覆されたＰＶＣ導電層より構成される中間材料層と、を有し、
上述の多芯導体の構造により、シグナルの高低に係らず確実に伝送することを特徴とするシグナル伝送ケーブルの構造。
【請求項２】
該心材部の内一つの輸送媒体は純銀導体であり、該純銀導体外側はＰＥ絶縁層で被覆されていることを特徴とする請求項１記載のシグナル伝送ケーブルの構造
。
【請求項３】
該心材部の内のもう一つはエナメル単結晶単一方向純銅導体であり、該エナメル単結晶単一方向純銅導体外側はＰＥ絶縁層で被覆されていることを特徴とする請求項１記載のシグナル伝送ケーブルの構造。
【請求項４】
該一層以上の金属線編織層は鍍銀線であることを特徴とする請求項１記載のシグナル伝送ケーブルの構造。
【請求項５】
該中間材料はＰＶＣ導電層であり、金属線編織層及び包紙層でギター線の構造を構成していることを特徴とする請求項１記載のシグナル伝送ケーブルの構造。
【請求項６】
該中間材料はＰＶＣ導電層、金属線編織層、ＰＴＥＦ層及び金属線編織層にてビジュアル用伝送ケーブルの構造が構成されていることを特徴とする請求項１記載のシグナル伝送ケーブルの構造。
【請求項７】
該心材部は二つにそれぞれ独立しており、マイクロフォン線の構造を構成していることを特徴とする請求項１記載のシグナル伝送ケーブルの構造。
【請求項８】
該中間材料はＰＶＣ導電層、綿糸充填層、金属線編織層及び包紙層により構成されていることを特徴とする請求項７記載のシグナル伝送ケーブルの構造。
【考案の詳細な説明】
【技術分野】
【０００１】
本考案はシグナル伝送ケーブルの構造に係り、磁場、静電気に影響されず、アッテネーションが低いことでひずみ度が小さく、特にステレオのスピーカーやギター線、マイクロフォン用として適したケーブルである。
【背景技術】
【０００２】
公知構造のシグナル伝送ケーブルは、主に一本の導体によるもの、或いは多芯の導体によるものに大きく分けられる。一本の導体によるものを公知構造の例として説明すると、図１に示すような銅軸ケーブル構造を呈しており、その特徴は
、導体１の被覆する絶縁体が、押し出し成型された円管状態のＰＥ２であり、更にアルミマイラーテープ３、銅線編織層４、及びＰＶＣ包覆体５により構成されている。
【考案の開示】
【考案が解決しようとする課題】
【０００３】
しかし公知構造のものの欠点として、上述で例として説明した中の、該ＰＥ管の絶縁効果は優れているとは言えず、また該銅線編織層においては100％外界からの鑑賞をシャットアウトすることは不可能であるため、磁場や高周波、静電気等の影響を受け易く、伝送時にひずみや反射の現象が起こりやすい。そこでこれらの欠点に鑑み、高低周波数が各別に伝送され、相互に干渉し合わず、且つ磁場や静電気の影響を受けずによりリアルなサウンドを再現すべく、本発明のシグナル伝送ケーブルの構造を提供する。
【課題を解決するための手段】
【０００４】
主に心材部、中間材料層、及び一層以上の外被覆層より構成する。
該心材部はそれぞれ絶縁層が設けられている二つの伝送媒質とし、また該中間材料においては心材部と該外被覆層の間に設けられて、一層以上の金属線編織層と包紙層により被覆されたＰＶＣ導電層より構成する。
【考案の効果】
【０００５】
本考案によると、心材部の多芯導体（純銀導体及びエナメル単結晶単一方向純銅導体）により、それぞれＰＥ絶縁層及びＰＥ発泡層にて絶縁され、両導体の間に適当な間隔が開かれて、シグナルの高低が区別されて伝送され、高低周波数が互いに干渉し合わず、よってスキンエフェクトを低下することができた。更には中間材料層（ＰＶＣ導電層、鍍銀線編織層、ＰＴＥＦ層）は外界との遮断作用を有するため、磁場が発生するのを有効に防止でき、静電気等による影響が防止でき、また包紙層や綿糸充填層などによっては柔軟度がアップし、また外観成型が容易になったため、全体として、アッテネーションを低下させ、よりリアルで品質を高めることができた。
【考案を実施するための最良の形態】
【０００６】
図２に示すように、本発明の第一実施例では、ギター線の立体外観図であり、心材部２０は純銀導体２１がＰＥ絶縁層２２に被覆され、該ＰＥ絶縁層２２は更にエナメル単結晶単一方向純銅導体２３によって被覆されている。更に外側にはＰＥ発泡層２４が設けられ、よって該純銀導体２１、及び該エナメル単結晶単一方向純銅導体２３の両導体をそれぞれ絶縁し、該ＰＥ発泡層２４の外側には順に
、ＰＶＣ導電層４１、鍍銀線編織層４２、包紙層４３によって構成された中間材料４０が設けられ、最後にポリ塩化ビニルで組成された第一外被覆層３０及び第二外被覆層３１によって最も外側が覆われて、完全なシグナル伝送ケーブルが構成される。
【０００７】
図３に示すように、第二実施例においては、心材部２０は純銀導体２１がＰＥ絶縁層２２に被覆され、該ＰＥ絶縁層２２の外側は更にエナメル単結晶単一方向純銅導体２３、更にＰＥ発泡層２４で覆われ、該純銀導体２１、該エナメル単結晶単一方向純銅導体２３両者をそれぞれ絶縁している。該ＰＥ発泡層２４の外側は更にＰＶＣ導電層４１、鍍銀線編織層４２、ＰＴＦＥ（発泡テフロン（登録商標）テープによりロール）層４４、及び鍍銀線編織層４５による中間材料４０が構成されており、最後はポリ塩化ビニルにより組成された第一外被覆層３０及び第二外被覆層３１により最も外側が覆われて、完全なシグナル伝送ケーブルが構成される。
【０００８】
図４に示すように、第三実施例においては、マイクロフォンの線の構造であり
、心材部２０は純銀導体２１をＰＥ絶縁層２２が被覆し、該ＰＥ絶縁層２２は更にエナメル単結晶単一方向純銅導体２３、ＰＥ発泡層２４で覆われて、該純銀導体２１、該エナメル単結晶単一方向純銅導体２３の両導体がそれぞれ絶縁され、該ＰＥ発泡層２４は更に順にＰＶＣ導電層４１で覆われ、更に充填層４６が該心材部２０を内部に包み込み、線全体を柔軟にし、また成型し易くしている。更に鍍銀線編織層４５及び包紙層４３で中間材料４０全体を包み、最後にポリ塩化ビニルで組成された第一外被覆層３０が最も外側を覆い、完全なシグナル伝送ケーブルが構成される。
【図面の簡単な説明】
【０００９】
【図１】公知構造のシグナル伝送ケーブルの立体外観図である。
【図２】本考案の第一実施例の全体構造分解図である。
【図３】本考案の第二実施例の全体構造分解図である。
【図４】本考案の第三実施例の全体構造分解図である。
【符号の説明】
【００１０】
１        導体
２        ＰＥ絶縁層
３        アルミマイラーテープ
４        銅線編織層
５        ＰＶＣ包覆体
２０      心材部
２１      純銀導体
２２      ＰＥ絶縁層
２３      エナメル単結晶単一方向純銅導体
２４      ＰＥ発泡層
３０      第一外被覆層
３１      第二外被覆層
４０      中間材料
４１      ＰＶＣ導電層
４２      鍍銀線編織層
４３      包紙層
４４      ＰＴＦＥ層
４５      鍍銀線編織層
４６      充填層
【図１】
0003109270.tif 000003
【図２】
0003109270.tif 000004
【図３】
0003109270.tif 000005
【図４】
0003109270.tif 000006